(57)【要約】【課題】ユーザの好みの番組の検索に利用されたキーワードと実際に検索された番組との対応関係を迅速かつ確実に把握することができ、検索された番組を十分に楽しむことができる「デジタル放送受信装置」を提供すること。【解決手段】番組検索手段２３によって検索された番組がこの番組に対応するキーワードに基づいて検索された理由を、再生手段１４，１５によって番組が再生される際に表示部１２に表示する理由表示手段２６を備えたこと。【選択図】図１
2010239397.tif 000002
【特許請求の範囲】
【請求項１】
表示部と、
キーワードを生成するキーワード生成手段と、
このキーワード生成手段によって生成された前記キーワードに対応するデジタル放送の番組を電子番組ガイドを用いて検索する番組検索手段と、
この番組検索手段によって検索された前記番組をこの番組の放送中または放送終了後に再生する再生手段と
を備えたデジタル放送受信装置であって、
前記番組検索手段によって検索された前記番組がこの番組に対応する前記キーワードに基づいて検索された理由を、前記再生手段によって当該番組が再生される際に前記表示部に表示する理由表示手段を備えたこと
を特徴とするデジタル放送受信装置。
【請求項２】
前記番組検索手段によって検索された前記番組の記録を予約する記録予約手段と、
この記録予約手段によって予約された前記番組を記録する記録手段と
を備え、
前記理由表示手段は、前記理由の表示を、前記記録手段によって記録された前記番組が前記再生手段によって再生される際に行うこと
を特徴とする請求項１に記載のデジタル放送受信装置。
【請求項３】
前記記録手段によって記録された前記番組の再生リストを前記表示部に表示する再生リスト表示手段を備え、
前記理由表示手段は、前記理由の表示を、前記再生リスト表示手段によって前記再生リストが表示される際に前記再生リスト中の各番組ごとに行うこと
を特徴とする請求項２に記載のデジタル放送受信装置。
【請求項４】
前記番組検索手段によって検索された前記番組の再生を予約する再生予約手段を備え、
前記再生手段は、前記再生予約手段によって予約された前記番組を、この番組の放送中に再生し、
前記理由表示手段は、前記理由の表示を、前記再生予約手段によって予約された前記番組が前記再生手段によって再生される際に行うこと
を特徴とする請求項１乃至請求項３のいずれか１項に記載のデジタル放送受信装置。
【請求項５】
ユーザがフリーキーワードを入力可能とされた入力手段を備え、
前記キーワード生成手段は、前記入力手段の入力結果に応じた前記キーワードを生成すること
を特徴とする請求項１乃至請求項４のいずれか１項に記載のデジタル放送受信装置。
【請求項６】
ユーザがフリーキーワードを入力可能とされた入力手段と、
前記番組検索手段によって検索された前記番組の記録を予約する記録予約手段と、
この記録予約手段によって予約された前記番組を記録する記録手段と、
前記番組検索手段によって検索された前記番組の再生を予約する再生予約手段と
を備え、
前記キーワード生成手段は、前記入力手段を用いた入力の履歴、前記記録予約手段を用いた記録の履歴および前記再生予約手段を用いた再生の履歴の少なくとも１つに基づいて前記キーワードを自動的に生成し、
前記記録手段は、前記キーワード生成手段によって自動的に生成された前記キーワードに基づいて前記番組検索手段によって検索された番組を自動的に記録し、
前記理由表示手段は、前記理由の表示を、前記記録手段によって自動的に記録された前記番組が前記再生手段によって再生される際に行うこと
を特徴とする請求項１乃至請求項５のいずれか１項に記載のデジタル放送受信装置。
【請求項７】
前記キーワードは、番組関係者の名前であり、
前記理由は、前記番組検索手段によって検索された前記番組における前記番組関係者の立場であること
を特徴とする請求項１乃至請求項６のいずれか１項に記載のデジタル放送受信装置。
【請求項８】
前記番組関係者の立場が副音声による出演者である場合には、前記再生手段は、前記番組の再生中に副音声を優先的に出力すること
を特徴とする請求項７に記載のデジタル放送受信装置。
【発明の詳細な説明】
【技術分野】
【０００１】
本発明は、デジタル放送受信装置に係り、特に、ＥＰＧを利用して検索されたデジタル放送番組の鑑賞に好適なデジタル放送受信装置に関する。
【背景技術】
【０００２】
従来から、地上波デジタル放送等のデジタル放送に対応したデジタル放送受信装置においては、ＥＰＧ（Electronic Program Guide：電子番組ガイド）を利用してユーザの好みの番組を検索し、検索された番組を予約録画または視聴予約することが可能であった。
【０００３】
この種のデジタル放送受信装置には、フリーキーワード入力による番組の検索機能が備えられており、この検索機能によれば、例えば、ユーザが、タレント（芸能人）の名前、番組名、または番組のカテゴリ（例えば、スポーツ、ニュースまたはバラエティ）などをフリーキーワードで入力することによって、入力内容に対応する番組がＥＰＧを参照することによって自動的に検索されるようになっていた。なお、検索された番組は、ディスプレイ上にリスト等の態様によって表示されるようになっていた。そして、ユーザは、検索された番組から所望の番組を選択して、選択された番組を予約録画または視聴予約することができるようになっていた。
【０００４】
また、この他にも、デジタル放送受信装置の中には、予約録画、視聴予約またはフリーキーワード入力等の履歴に基づいてキーワード（タレント名等）を自動的に生成し、生成されたキーワードに対応する番組をＥＰＧを参照して自動的に検索し、検索された番組を自動的に録画する機能を備えたものもあった。
【先行技術文献】
【特許文献】
【０００５】
【特許文献１】特開２００７−６７６９９号公報
【発明の概要】
【発明が解決しようとする課題】
【０００６】
ところで、ＥＰＧには様々な情報が含まれており、番組名、番組内容および出演者名だけでなく、出演者の出演状況（例えば、司会、レギュラー、ゲスト、主音声解説または副音声解説等）や出演者以外の番組関係者（例えば、プロデューサーまたは脚本等）の情報も提供されている。
【０００７】
したがって、このようなＥＰＧを利用して、例えば、フリーキーワードとしてユーザの好みのタレントの名前を入力することによる番組検索を行えば、そのタレントがスポーツ番組（例えば、プロ野球中継）の副音声解説として出演しているような番組も、録画や視聴予約の対象となっていた。
【０００８】
しかしながら、このような番組を録画後に再生した場合や視聴予約した実際の放送時間に視聴した場合には、ユーザは、自分の好みのタレントが画面上に登場しないため、何故その番組が表示されているのかが分からず、折角録画した番組を無用なものとみなして削除してしまったり、視聴予約によって視聴している番組から他の番組へとチャンネルを変更してしまう場合があった。
【０００９】
そこで、本発明はこのような点に鑑みなされたものであり、ユーザの好みの番組の検索に利用されたキーワードと実際に検索された番組との対応関係を迅速かつ確実に把握することができ、ひいては、検索された番組を十分に楽しむことができるデジタル放送受信装置を提供することを目的とするものである。
【課題を解決するための手段】
【００１０】
前述した課題を解決するために、本発明に係るデジタル放送受信装置は、表示部と、キーワードを生成するキーワード生成手段と、このキーワード生成手段によって生成された前記キーワードに対応するデジタル放送の番組を電子番組ガイドを用いて検索する番組検索手段と、この番組検索手段によって検索された前記番組をこの番組の放送中または放送終了後に再生する再生手段とを備えたデジタル放送受信装置であって、前記番組検索手段によって検索された前記番組がこの番組に対応する前記キーワードに基づいて検索された理由を、前記再生手段によって当該番組が再生される際に前記表示部に表示する理由表示手段を備えたことを特徴としている。
【００１１】
そして、このような構成によれば、理由表示手段により、番組検索手段によって検索された番組がこの番組に対応するキーワードに基づいて検索された理由を表示部に表示することができるので、ユーザの好みの番組の検索に利用されたキーワードと実際に検索された番組との対応関係を迅速かつ確実に把握することができ、ひいては、検索された番組を十分に楽しむことができる。
【００１２】
また、前記番組検索手段によって検索された前記番組の記録を予約する記録予約手段と、この記録予約手段によって予約された前記番組を記録する記録手段とを備え、前記理由表示手段は、前記理由の表示を、前記記録手段によって記録された前記番組が前記再生手段によって再生される際に行うようにしてもよい。
【００１３】
そして、このような構成によれば、記録予約によって記録された番組を再生する際に、この番組がキーワードに基づいて検索された理由を理由表示手段によって表示することができるので、記録予約によって記録された番組を十分に楽しむことができる。
【００１４】
さらに、前記記録手段によって記録された前記番組の再生リストを前記表示部に表示する再生リスト表示手段を備え、前記理由表示手段は、前記理由の表示を、前記再生リスト表示手段によって前記再生リストが表示される際に前記再生リスト中の各番組ごとに行うようにしてもよい。
【００１５】
そして、このような構成によれば、記録予約によって記録された番組の再生リストを表示する際に、再生リスト中の各番組がキーワードに基づいて検索された理由を理由表示手段によって各番組ごとに表示することができるので、利便性をさらに向上させることができる。
【００１６】
さらにまた、前記番組検索手段によって検索された前記番組の再生を予約する再生予約手段を備え、前記再生手段は、前記再生予約手段によって予約された前記番組を、この番組の再生中に再生し、前記理由表示手段は、前記理由の表示を、前記再生予約手段によって予約された前記番組が前記再生手段によって再生される際に行うようにしてもよい。
【００１７】
そして、このような構成によれば、再生予約によって番組を再生する際に、この番組がキーワードに基づいて検索された理由を理由表示手段によって表示することができるので、再生予約によって再生された番組を十分に楽しむことができる。
【００１８】
また、ユーザがフリーキーワードを入力可能とされた入力手段を備え、前記キーワード生成手段は、前記入力手段の入力結果に応じた前記キーワードを生成するようにしてもよい。
【００１９】
そして、このような構成によれば、ユーザがキーワードを自由に選択することができるので、利便性をさらに向上させることができる。
【００２０】
さらに、ユーザがフリーキーワードを入力可能とされた入力手段と、前記番組検索手段によって検索された前記番組の記録を予約する記録予約手段と、この記録予約手段によって予約された前記番組を記録する記録手段と、前記番組検索手段によって検索された前記番組の再生を予約する再生予約手段とを備え、前記キーワード生成手段は、前記入力手段を用いた入力の履歴、前記記録予約手段を用いた記録の履歴および前記再生予約手段を用いた再生の履歴の少なくとも１つに基づいて前記キーワードを自動的に生成し、前記記録手段は、前記キーワード生成手段によって自動的に生成された前記キーワードに基づいて前記番組検索手段によって検索された番組を自動的に記録し、前記理由表示手段は、前記理由の表示を、前記記録手段によって自動的に記録された前記番組が前記再生手段によって再生される際に行うようにしてもよい。
【００２１】
そして、このような構成によれば、キーワード生成手段によってユーザの操作履歴に基づいた好適なキーワードを自動的に生成することができ、また、自動的に生成されたキーワードに基づいて検索されて記録された番組を再生する際にも理由を表示することができるので、利便性をさらに向上させることができる。
【００２２】
さらにまた、前記キーワードは、番組関係者の名前であり、前記理由は、前記番組検索手段によって検索された前記番組における前記番組関係者の立場であってもよい。
【００２３】
そして、このような構成によれば、番組関係者の名前をキーワードとして検索された番組が再生される際に、理由表示手段により、再生される番組における当該番組関係者の立場を表示することができるので、番組関係者の名前と検索された番組との対応関係を迅速かつ確実に把握することができる。
【００２４】
また、前記番組関係者の立場が副音声による出演者である場合には、前記再生手段は、前記番組の再生中に副音声を優先的に出力するようにしてもよい。
【００２５】
そして、このような構成によれば、番組関係者の名前をキーワードとして検索された番組に当該番組関係者が副音声として出演している場合には、番組再生中に副音声を優先的に出力することができるので、番組検索のキーワードに用いられたユーザの好みの出演者が番組中で確認することが困難な出演状況で番組に出演している場合であっても、その出演者と番組との対応関係を迅速かつ確実に把握することができる。
【発明の効果】
【００２６】
本発明によれば、ユーザの好みの番組の検索に利用されたキーワードと実際に検索された番組との対応関係を迅速かつ確実に把握することができ、ひいては、検索された番組を十分に楽しむことができる。
【図面の簡単な説明】
【００２７】
【図１】本発明に係るデジタル放送受信装置の実施形態を示すブロック図
【図２】本発明に係るデジタル放送受信装置の実施形態において、検索理由の表示状態の一例を示す図
【図３】本発明に係るデジタル放送受信装置の実施形態において、検索理由の表示状態の図２と異なる一例を示す図
【図４】本発明に係るデジタル放送受信装置の実施形態において、変形例を示す図
【図５】本発明に係るデジタル放送受信装置の実施形態を示すフローチャート
【発明を実施するための形態】
【００２８】
以下、本発明に係るデジタル放送受信装置の実施形態について、図１乃至図５を参照して説明する。
【００２９】
本実施形態におけるデジタル放送受信装置は、地上波デジタル放送等のデジタルテレビ放送の視聴に用いられるものである。
【００３０】
すなわち、図１に示すように、本実施形態におけるデジタル放送受信装置１は、アンテナ２が接続されたフロントエンド部（Ｆ／Ｅ）３を有している。このフロントエンド部３は、アンテナ２を介して受信されたデジタルテレビ放送の放送信号の中から、設定されたチャンネルの受信周波数成分を有する信号を抽出し、抽出された信号に対して周波数変換を行うことによって中間周波数信号を生成するようになっている。そして、フロントエンド部３は、生成された中間周波数信号を後段へと出力するようになっている。
【００３１】
フロントエンド部３の後段には、ベースバンド処理部４が接続されており、このベースバンド処理部４には、フロントエンド部３から出力された中間周波数信号が入力されるようになっている。そして、ベースバンド処理部４は、入力された中間周波数信号に対して、復調処理（例えば、ＱＰＳＫ：quadrature phase shift keying)、アナログ−デジタル変換処理および誤り訂正処理等を行うことによって、トランスポートストリームを生成するようになっている。さらに、ベースバンド処理部４は、生成されたトランスポートストリームを後段へと出力するようになっている。
【００３２】
ベースバンド処理部４の後段には、データ分離部５が接続されており、このデータ分離部５には、ベースバンド処理部４から出力されたトランスポートストリームが入力されるようになっている。そして、データ分離部５は、入力されたトランスポートストリームを、映像データ、音声データおよび付加情報に分離するようになっている。
【００３３】
ここで、付加情報には、ＥＰＧの生成に必要な情報であるＥＰＧ情報が含まれている。このＥＰＧ情報には、各放送チャンネルの各番組ごとに、番組名、放送日時、チャンネル、放送開始時間、番組の放送時間の長さ、放送内容、カテゴリー、番組関係者名および番組関係者の立場（役割）等の情報が含まれている。なお、番組関係者名には、番組に出演する出演者名だけでなく、プロデューサー名や脚本家名等の番組製作サイドの番組関係者の名前も含まれる場合がある。また、番組関係者の立場にも、司会、レギュラー、ゲスト、主音声解説および副音声解説等の出演サイドの立場だけでなく、プロデューサや脚本等の番組製作サイドの立場も含まれる場合がある。このＥＰＧ情報は、いわゆるイベント・インフォメーション・テーブル（ＥＩＴ：Event Information Table）であってもよい。
【００３４】
データ分離部５において分離された映像データおよび音声データは、データ分離部５によって後段へと出力されるようになっている。
【００３５】
データ分離部５の後段には、音声／映像デコード部７が接続されており、この音声／映像デコード部７には、データ分離部５から出力された映像データおよび音声データがそれぞれ入力されるようになっている。そして、音声／映像デコード部７は、入力された映像データをデコードして映像信号に変換し、変換された映像信号を後段へと出力するようになっている。また、音声／映像デコード部７は、入力された音声データを音声信号に変換し、変換された音声信号を後段へと出力するようになっている。
【００３６】
音声／映像デコード部７の後段には、アンプ８および表示処理部１０がそれぞれ接続されており、アンプ８には、音声／映像デコード部７から出力された音声信号が、表示処理部１０には、音声／映像デコード部７から出力された映像信号が、それぞれ入力されるようになっている。そして、アンプ８は、入力された音声信号を増幅し、増幅された音声信号をアンプ８の後段に接続されたスピーカ１１へと出力するようになっている。また、表示処理部１０は、入力された映像信号に対応する映像を、表示処理部１０の後段に接続された表示部としてのディスプレイ１２に表示するようになっている。
【００３７】
したがって、本実施形態におけるデジタル放送受信装置１は、受信されたデジタル放送の番組を、映像表示および音声出力によって番組の放送中にリアルタイムに再生可能となっている。
【００３８】
フロントエンド部３、ベースバンド処理部４、データ分離部５および音声／映像デコード部７には、デジタル放送受信装置１の全体の動作を制御する制御部１４が接続されている。この制御部１４は、再生手段としての機能を有しており、フロントエンド部３による受信周波数の設定（換言すれば、チャンネル選択）や、ベースバンド処理部４、データ分離部５および音声／映像デコード部７への動作指令の出力等を行うことによって、受信されたデジタル放送の番組を再生するための各種の処理・制御を実行するようになっている。なお、制御部１４は、図示しないＲＯＭ等の記憶部に格納されたプログラムを実行することによって、制御部１４の機能を実行するようになっている。
【００３９】
制御部１４には、記録／再生処理部１５が接続されており、この記録／再生処理部１５には、ハードディスクドライブ（ＨＤＤ）１６が接続されている。記録／再生処理部１５は、記録手段としての機能を有しており、制御部１４による記録制御にしたがって、記録予約された番組をこの番組の受信時（放送中）にデータ分離部５から取得して所定の圧縮方式（例えば、ＭＰＥＧ２方式）で圧縮した上でハードディスクドライブ１６に記録（録画、録音）するようになっている。このとき、記録／再生処理部１５は、番組の映像データおよび音声データだけでなく、番組の付加情報も、映像データおよび音声データと対応付けた状態としてハードディスクドライブ１６に記録するようになっている。また、記録／再生処理部１５は、制御部１４による再生制御にしたがって再生手段として機能し、ハードディスクドライブ１６に記録された番組をハードディスクドライブ１６から読み出し、読み出された番組を音声／映像デコード部７に出力することによって、ハードディスクドライブ１６に記録された番組を再生するようになっている。
【００４０】
したがって、本実施形態におけるデジタル放送受信装置１は、受信されたデジタル放送の番組を、番組の放送終了後においても再生可能となっている。
【００４１】
制御部１４には、入力操作部１７が接続されており、ユーザは、この入力操作部１７を用いることによって、デジタル放送受信装置１に対する種々の入力操作を行うことが可能とされている。この入力操作部１７は、リモコンまたはディスプレイ１２のタッチパネル等であってもよい。
【００４２】
次に、制御部１４についてさらに詳述すると、この制御部１４は、その機能ブロックの１つとして、ＥＰＧ生成部１８を有しており、このＥＰＧ生成部１８は、データ分離部５から制御部１４へと出力された付加情報中のＥＰＧ情報に基づいて、ＥＰＧを生成するようになっている。制御部１４は、入力操作部１７によるＥＰＧの表示の指示にしたがって、ＥＰＧ生成部１８によって生成されたＥＰＧを表示処理部１０を介してディスプレイ１２に表示するようになっている。
【００４３】
また、制御部１４は、その機能ブロックの１つとして、記録予約手段としての記録予約部２０を有している。この記録予約部２０は、ユーザによる入力操作部１７を用いた記録予約の指示にしたがって記録予約用の操作画面を生成し、生成された記録予約用の操作画面を表示処理部１０を介してディスプレイ１２に表示するようになっている。そして、記録予約部２０は、表示された記録予約用の操作画面に対する入力操作部１７を用いたユーザの入力操作に応じた番組の記録の予約すなわち記録予約を行うようになっている。なお、記録予約は、記録予約の対象となる番組の識別情報（チャンネル、放送日時、放送開始時刻、番組の放送時間の長さ、番組コード等）を、ＥＰＧ生成部１８によって生成されたＥＰＧから取得して保持することによって行うようにすればよい。この記録予約部２０による記録予約が行われた番組は、前述のように、当該番組の受信時（すなわち放送中）に、制御部１４による記録制御にともなって記録／再生処理部１５によってハードディスクドライブ１６に記録されることになる。
【００４４】
さらに、制御部１４は、その機能ブロックの１つとして、再生予約手段としての視聴予約部２１を有している。この視聴予約部２１は、ユーザによる入力操作部１７を用いた視聴予約の指示にしたがって視聴予約用の操作画面を生成し、生成された視聴予約用の操作画面を表示処理部１０を介してディスプレイ１２に表示するようになっている。そして、視聴予約部２１は、表示された視聴予約用の操作画面に対する入力操作部１７を用いたユーザの入力操作に応じた番組の視聴（再生）の予約すなわち視聴予約を行うようになっている。なお、視聴予約も、記録予約と同様に、視聴予約の対象となる番組の識別情報を、ＥＰＧ生成部１８によって生成されたＥＰＧから取得して保持することによって行うようにすればよい。この視聴予約部２１による視聴予約が行われた番組は、当該番組の受信時に、制御部１４による制御にともなってリアルタイムに再生されることになる。なお、視聴予約された番組の放送開始時に他のチャンネルが視聴されている場合においても、制御部１４の制御により、チャンネルが自動的に視聴予約された番組のチャンネルに切り替わることになる。また、視聴予約された番組の放送開始時にディスプレイ１２が消灯されている場合であっても、制御部１４の制御により、ディスプレイ１２が自動的に点灯されて視聴予約された番組が再生されることになる。
【００４５】
さらにまた、制御部１４は、その機能ブロックの１つとして、キーワード生成手段としてのキーワード生成部２２を有している。ここで、本実施形態において、前述した記録予約部２０によって表示される記録予約用の操作画面には、ユーザが記録予約の対象とする番組をフリーキーワードで検索するためのフリーキーワード入力欄が含まれている。また、本実施形態において、前述した視聴予約部２１によって表示される視聴予約用の操作画面にも、ユーザが視聴予約の対象とする番組をフリーキーワードで検索するためのフリーキーワード入力欄が含まれている。そして、キーワード生成部２２は、記録予約用の操作画面におけるフリーキーワード入力欄に対して入力操作部１７による入力操作が行われた場合には、この入力操作に応じた記録予約用のキーワードを生成するようになっている。また、キーワード生成部２２は、視聴予約用の操作画面におけるフリーキーワード入力欄に対して入力操作部１７による入力操作が行われた場合には、この入力操作に応じた視聴予約用のキーワードを生成するようになっている。なお、キーワードの生成は、従来から行われていた一般的なキー入力の場合と同様に、例えば、入力操作部１７の入力キーに対応した文字を、入力キーと文字との対応関係が記述されたデータベースから入力順に順次抽出し、抽出された文字を文字列として合成する等の方法によって生成すればよい。また、キーワードの生成結果（入力結果）は、キーワード生成部２２によってフリーキーワード入力欄に表示されるようになっている。
【００４６】
また、制御部１４は、その機能ブロックの１つとして、番組検索手段としての番組検索部２３を有している。この番組検索部２３は、キーワード生成部２２によって生成されたキーワードをキーワード生成部２２から取得するようになっている。そして、番組検索部２３は、取得されたキーワードに対応する番組を、ＥＰＧ生成部１８によって生成されたＥＰＧを用いて検索するようになっている。より具体的には、番組検索部２３は、キーワード生成部２２によって記録予約用のキーワードが生成された場合には、この記録予約用のキーワードに対応する番組をＥＰＧを用いて検索するようになっている。また、番組検索部２３は、キーワード生成部２２によって視聴予約用のキーワードが生成された場合には、この視聴予約用のキーワードに対応する番組をＥＰＧを用いて検索するようになっている。この番組検索部２３による番組の検索は、キーワード生成部２２によって生成されるキーワードが確定（すなわち、フリーキーワード入力欄に対する入力が完了）してはじめて行うようにしてもよいし、あるいは、キーワード生成部２２によって生成されるキーワードが１文字ずつ増減することにともなって逐次行うようにしてもよい。
【００４７】
この番組検索部２３による番組の検索結果は、この検索結果に対応するキーワードと互いに対応付けられた状態（例えば、共通のＩＤが付された状態）として当該キーワードとともに番組検索部２３によって保持されるようになっている。
【００４８】
そして、番組検索部２３による記録予約用のキーワードに対応する番組の検索結果は、記録予約部２０によって記録予約用の操作画面上に選択可能な状態で表示されるようになっている。記録予約部２０は、このような記録予約用の操作画面上に表示された番組検索部２３の検索結果のうち、ユーザが入力操作部１７を用いて選択した番組に対する記録予約を行うようになっている。
【００４９】
また、番組検索部２３による視聴予約用のキーワードに対応する番組の検索結果は、視聴予約部２１によって視聴予約用の操作画面上に選択可能な状態で表示されるようになっている。視聴予約部２１は、このような視聴予約用の操作画面上に表示された番組検索部２３の検索結果のうち、ユーザが入力操作部１７を用いて選択した番組に対する視聴予約を行うようになっている。
【００５０】
さらに、制御部１４は、その機能ブロックの１つとして、理由抽出部２５を有している。この理由抽出部２５は、記録予約部２０による予約結果を記録予約部２０から取得するようになっている。また、理由抽出部２５は、視聴予約部２１による予約結果を視聴予約部２１から取得するようになっている。さらに、理由抽出部２５は、記録予約部２０によって記録予約された番組の検索に用いられたキーワードを、番組検索部２３から取得するようになっている。さらにまた、理由抽出部２５は、視聴予約部２１によって視聴予約された番組の検索に用いられたキーワードを、番組検索部２３から取得するようになっている。また、理由抽出部２５は、ＥＰＧ生成部１８によって生成されたＥＰＧのうちの記録予約または視聴予約された番組の検索に用いられら部分をＥＰＧ生成部１８から取得するようになっている。そして、理由抽出部２５は、これらの取得情報を適宜用いることによって、記録予約または視聴予約された番組（すなわち、番組検索部２３によって検索された番組）が当該番組に対応するキーワードに基づいて番組検索部２３によって検索された理由（以下、検索理由と称する）を、ＥＰＧ生成部１８によって生成されたＥＰＧから抽出するようになっている。なお、検索理由は、番組の検索に用いられたキーワードと、このキーワードに基づいて検索された番組との対応関係を示す情報ということもできる。
【００５１】
なお、このような検索理由を抽出するための具体的な方法の１つとしては、ＥＰＧ生成部１８によって予めキーワードと検索理由とがＩＤの付与やテーブル等によって互いに対応付けられた状態のデータ構造を有するＥＰＧを生成しておき、キーワード生成部２２によって生成されたキーワードに対応する検索理由をデータ構造上の対応付けに基づいてＥＰＧから抽出する方法がある。ただし、このような方法を用いる場合には、いずれの情報をＥＰＧにおいてキーワードとして管理しておき、また、いずれの情報をＥＰＧにおいて検索理由として管理しておくのかをＥＰＧの生成段階において予め決めておく必要がある。そこで、例えば、「司会」、「レギュラー」、「ゲスト」、「主音声解説」、「副音声解説」、「プロデューサー」または「脚本」等のＥＰＧにおける番組を紹介するために用いられる紹介項目を検索理由として管理し、各紹介項目に対応する番組に固有の具体的な情報すなわちタレント名や制作者名等をキーワードとして管理すればよい。
【００５２】
この理由抽出部２５による検索理由の抽出結果は、この抽出結果に対応する番組の識別情報（チャンネル、放送日時、放送開始時刻、番組の長さおよび番組コード等）およびキーワードと対応付けられた状態で当該番組の識別情報およびキーワードとともに理由抽出部２５によって保持されるようになっている。なお、ここでの番組の識別情報は、理由抽出部２５が記録予約部２０または視聴予約部２１から取得したものであってもよいし、ＥＰＧから取得したものであってもよい。
【００５３】
さらにまた、制御部１４は、理由表示手段としての理由描画部２６を有しており、この理由描画部２６は、検索理由の描画に必要な情報である検索理由描画情報として、理由抽出部２５によって抽出された検索理由、この検索理由に対応する番組の識別情報および当該番組の検索に用いられたキーワードの各情報を、理由抽出部２５から取得するようになっている。そして、理由描画部２６は、番組検索部２３によって検索された番組が再生される際に、当該番組に対応する検索理由の描画データを検索理由描画情報に基づいて生成し、生成された描画データを表示処理部１０に出力することによって、再生される番組に対応する検索理由をディスプレイ１２に表示するようになっている。
【００５４】
なお、本実施形態において、検索理由に対応する番組は、前述のように視聴予約によってリアルタイムに再生される場合および記録予約によって記録された後にユーザの指示を待って再生される場合の２通りがあるが、いずれの場合においても、検索理由が表示されることになる。すなわち、理由描画部２６は、視聴予約された番組がリアルタイム再生される際には、この再生される番組に対応する検索理由を、予め理由抽出部２５から取得されている検索理由描画情報からピックアップし、ピックアップされた検索理由の描画データを生成して当該検索理由の表示を行うようになっている。また、理由描画部２６は、記録予約によって記録された番組の再生が指示された場合には、この再生が指示された番組に対応する検索理由を、予め理由抽出部２５から取得されている検索理由描画情報からピックアップし、ピックアップされた検索理由の表示を行うようになっている。なお、再生される番組と検索理由との対応関係については、例えば、再生される番組の識別情報と、検索理由描画情報内において検索理由に対応する番組の識別情報とを比較することによって把握することができる。
【００５５】
ここで、具体例として、図２は、本実施形態において、クイズ番組を視聴予約によってリアルタイムに再生した状態または記録予約によって記録した後に再生した状態を示したものである。図２に示すように、ディスプレイ１２上には、図２のクイズ番組がキーワード「タレントＡ」に基づいて検索された検索理由として、「タレントＡ」が当該クイズ番組に司会者として出演していることを示す文字（「司会」）が表示されている。なお、図２に示すように、検索理由は、理由そのもの（「司会」）に加えて、理由に対応するキーワード（「タレントＡ」）が並記されたものであってもよい。
【００５６】
また、その他の具体例として、図３は、本実施形態において、プロ野球中継番組を視聴予約によってリアルタイムに再生した状態または記録予約によって記録した後に再生した状態を示したものである。図３に示すように、ディスプレイ１２上には、図３のプロ野球中継番組がキーワード「タレントＢ」に基づいて検索された検索理由として、「タレントＢ」が当該野球中継番組に副音声解説者として出演していることを示す文字（「副音声解説」）が表示されている。
【００５７】
このような構成によれば、ユーザの好みの番組の検索に利用されたキーワードと実際に検索された番組との対応関係を迅速かつ確実に把握することができ、ひいては、検索された番組を十分に楽しむことができる。
【００５８】
さらに、本実施形態において、記録／再生処理部１５は、再生リスト表示手段としての機能を備えており、記録予約によって記録された番組の再生リストを再生前に選択可能な状態としてディスプレイ１２に表示するようになっている。そして、記録／再生処理部１５は、再生リストの中からユーザが入力操作部１７を用いて選択した番組を再生するようになっている。ここで、理由描画部２６は、再生リストが表示される際に、再生リスト中の各番組ごとに検索理由の表示を行うようにしてもよい。
【００５９】
具体的には、図４は、ユーザが入力した「タレントＣ」を記録予約用のキーワードとして検索された番組ａ〜ｃが記録予約によって記録された場合に表示される再生リスト２８を示したものである。図４に示すように、再生リスト２８には、番組ａ〜ｃの先頭画面２９および番組名とともに、各番組ごとの検索理由が表示されている。具体的には、図４には、番組ａがキーワード「タレントＣ」に基づいて検索された検索理由として、「タレントＣ」が番組ａにレギュラー出演していることを示す文字（「レギュラー」）が、番組ａと対応付けられた状態で表示されている。また、図４には、番組ｂがキーワード「タレントＣ」に基づいて検索された検索理由として、「タレントＣ」が番組ｂにゲスト出演していることを示す文字（「ゲスト」）が、番組ｂと対応付けられた状態で表示されている。さらに、図４には、番組ｃがキーワード「タレントＣ」に基づいて検索された検索理由として、「タレントＣ」が番組ｃに司会者として出演していることを示す文字（「司会」）が、番組ｃと対応付けられた状態で表示されている。
【００６０】
このように構成すれば、再生リストの表示状態におけるキーワードと番組との対応関係を迅速かつ確実に把握することができ、利便性をさらに向上させることができる。
【００６１】
さらに、上記の構成以外にも、次のような変形例を考えることができる。すなわち、キーワード生成部２２が、記録予約用または視聴予約用の操作画面に対する入力操作部１７を用いたフリーキーワードの入力履歴、記録予約部２０を用いた記録の履歴および視聴予約部２１を用いた再生の履歴の少なくとも１つに基づいてキーワードを自動的に生成するように構成する。また、番組検索部２３が、このように自動的に生成されたキーワードに基づいて番組を自動的に検索するように構成する。さらに、番組検索部２３によって自動的に検索された番組を、制御部１４の制御により、記録／再生処理部１５によって自動的に記録するように構成する。さらにまた、理由抽出部２５が、このような自動的に記録される番組が番組検索部２３によって検索された検索理由をＥＰＧに基づいて抽出するように構成する。また、理由描画部２６が自動的に記録された番組を再生する際に、この番組に対応する検索理由をディスプレイ１２に表示するように構成する。なお、変形例においても、理由描画部２６は、検索理由と再生される番組との対応関係を前述のような検索理由描画情報中の番組の識別情報に基づいて把握すればよい。
【００６２】
このように構成すれば、ユーザの操作履歴に基づいた好適なキーワードを自動的に生成することができ、また、自動的に生成されたキーワードに基づいて検索されて記録された番組を再生する際にも理由を表示することができるので、利便性をさらに向上させることができる。
【００６３】
ところで、検索理由が番組の再生開始から終始表示され続けると、画面が見づらいという印象をユーザに与える虞がある。そこで、入力操作部１７の操作によって検索理由の表示が消去され得るように構成してもよい。
【００６４】
さらにまた、キーワードが番組関係者の名前であり、このキーワードに基づいて検索された番組に対応する検索理由が、当該番組関係者が当該番組の副音声（例えば、図３に示したプロ野球中継の副音声解説）による出演者である場合には、当該番組の再生中において副音声を優先的に出力するようにしてもよい。
【００６５】
このように構成すれば、番組のキーワード検索に用いた好みの出演者を確認し難い番組であっても、出演者と番組との対応関係を迅速かつ確実に把握することができる。
【００６６】
次に、本実施形態の作用の一例について説明する。
【００６７】
本実施形態においては、まず、図５のステップ１−１（ＳＴ１−１）において、制御部１４により、記録予約が入力操作部１７によって指示されたか否かを判定し、指示された場合にはステップ１−２（ＳＴ１−２）に進み、指示されていない場合には、ステップ２−１（ＳＴ２−１）に進む。
【００６８】
次に、ステップ１−２（ＳＴ１−２）以降の工程について先に説明すると、ステップ１−２（ＳＴ１−２）においては、記録予約部２０により、記録予約用の操作画面をディスプレイ１２に表示する。
【００６９】
次いで、ステップ１−３（ＳＴ１−３）においては、キーワード生成部１８により、ステップ１−２（ＳＴ１−２）において表示された記録予約用の操作画面におけるフリーキーワード入力欄に対して入力操作部１７による入力操作（図５におけるフリーキーワード入力）が行われたか否かを判定する。そして、判定の結果、入力操作が行われた場合には、この入力操作に応じたキーワードをキーワード生成部１８によって生成してステップ１−４（ＳＴ１−４）に進み、入力操作が行われていない場合には、ステップ１−３（ＳＴ１−３）を繰り返す。
【００７０】
次いで、ステップ１−４（ＳＴ１−４）においては、番組検索部２３により、ステップ１−３（ＳＴ１−３）において生成されたキーワードに対応する番組をＥＰＧを用いて検索する。
【００７１】
次いで、ステップ１−５（ＳＴ１−５）においては、記録予約部２０により、ステップ１−４（ＳＴ１−４）において検索された番組のうち、ユーザが入力操作部１７を用いて選択した番組に対する記録予約を実行する。
【００７２】
次いで、ステップ１−６（ＳＴ１−６）においては、理由抽出部２５により、ステップ１−５（ＳＴ１−５）において記録予約された番組に対応する検索理由をＥＰＧから抽出する。この抽出された検索理由は、この時点で検索理由描画情報として理由描画部２６に取得されてもよい。
【００７３】
次いで、ステップ１−７（ＳＴ１−７）においては、記録予約部２０により、記録予約において予約された日時になったか否かを判定し、予約された日時になった場合には、ステップ１−８（ＳＴ１−８）に進み、予約された日時になっていない場合には、ステップ１−７（ＳＴ１−７）を繰り返す。
【００７４】
次いで、ステップ１−８（ＳＴ１−８）においては、記録予約部２０の制御により、ステップ１−５（ＳＴ１−５）において記録予約された番組を記録／再生処理部１５によってハードディスクドライブ１６に記録する。
【００７５】
次いで、ステップ１−８（ＳＴ１−８）における記録が完了した後に、ステップ１−９（ＳＴ１−９）においては、制御部１４により、ステップ１−８（ＳＴ１−８）において記録された番組の再生が入力操作部１７によって指示されたか否かを判定し、指示された場合には、ステップ１−１０（ＳＴ１−１０）に進み、指示されていない場合には、ステップ１−９（ＳＴ１−９）を繰り返す。
【００７６】
次いで、ステップ１−１０（ＳＴ１−１０）においては、記録／再生処理部１５により、ステップ１−９（ＳＴ１−９）において再生が指示された記録済みの番組をハードディスクドライブ１６から読み出して再生するとともに、理由描画部２６により、再生される番組に対応する検索理由を表示（例えば、番組の映像上に重畳表示）して処理を終了する。
【００７７】
次に、ステップ２−１（ＳＴ２−１）以降の工程について説明すると、ステップ２−１（ＳＴ２−１）においては、制御部１４により、視聴予約が入力操作部１７によって指示されたか否かを判定し、指示された場合にはステップ２−２（ＳＴ２−２）に進み、指示されていない場合には、ステップ１−１（ＳＴ１−１）に戻る。
【００７８】
次いで、ステップ２−２（ＳＴ２−２）において、視聴予約部２１により、視聴予約用の操作画面をディスプレイ１２に表示する。
【００７９】
次いで、ステップ２−３（ＳＴ２−３）においては、キーワード生成部１８により、ステップ２−２（ＳＴ２−２）において表示された視聴予約用の操作画面におけるフリーキーワード入力欄に対して入力操作部１７による入力操作が行われたか否かを判定する。そして、判定の結果、入力操作が行われた場合には、この入力操作に応じたキーワードをキーワード生成部１８によって生成してステップ２−４（ＳＴ２−４）に進み、入力操作が行われていない場合には、ステップ２−３（ＳＴ２−３）を繰り返す。
【００８０】
次いで、ステップ２−４（ＳＴ２−４）においては、番組検索部２３により、ステップ２−３（ＳＴ２−３）において生成されたキーワードに対応する番組をＥＰＧを用いて検索する。
【００８１】
次いで、ステップ２−５（ＳＴ２−５）においては、視聴予約部２１により、ステップ２−４（ＳＴ２−４）において検索された番組のうち、ユーザが入力操作部１７を用いて選択した番組に対する視聴予約を実行する。
【００８２】
次いで、ステップ２−６（ＳＴ２−６）においては、理由抽出部２５により、ステップ２−５（ＳＴ２−５）において視聴予約された番組に対応する検索理由をＥＰＧから抽出する。この抽出された検索理由は、この時点で検索理由描画情報として理由描画部２６に取得されてもよい。
【００８３】
次いで、ステップ２−７（ＳＴ２−７）においては、視聴予約部２１により、視聴予約において予約された日時になったか否かを判定し、予約された日時になった場合には、ステップ２−８（ＳＴ２−８）に進み、予約された日時になっていない場合には、ステップ２−７（ＳＴ２−７）を繰り返す。
【００８４】
次いで、ステップ２−８（ＳＴ２−８）においては、制御部１４の制御により、ステップ２−７（ＳＴ２−７）において予定の日時となった番組を受信して再生するとともに、理由描画部２６により、再生される番組に対応する検索理由を表示して処理を終了する。
【００８５】
以上述べたように、本実施形態によれば、理由描画部２６により、番組検索部２３によって検索された番組がこの番組に対応するキーワードに基づいて検索された理由をディスプレイ１２に表示することができるので、ユーザの好みの番組の検索に利用されたキーワードと実際に検索された番組との対応関係を迅速かつ確実に把握することができ、ひいては、検索された番組を十分に楽しむことができる。
【００８６】
なお、本発明は、このような構成に限定されるものではなく、必要に応じて種々の変更が可能なものである。
【００８７】
例えば、本発明は、前述した実施形態に示したようなデジタルテレビ放送の放送受信装置だけでなく、デジタルラジオ放送の放送受信装置にも有効に適用可能なものである。
【００８８】
また、本発明は、移動体用（例えば、車載用）または固定用（例えば、ホーム用）のいずれにも適用可能なものである。
【符号の説明】
【００８９】
１  デジタル放送受信装置
１２  ディスプレイ
１４  制御部
１５  記録／再生処理部
２２  キーワード生成部
２３  番組検索部
２６  理由描画部
【図１】
2010239397.tif 000003
【図２】
2010239397.tif 000004
【図３】
2010239397.tif 000005
【図４】
2010239397.tif 000006
【図５】
2010239397.tif 000007